(57)【要約】      （修正有）【課題】土壌中の種又は球根の位置を保持することができる植物育成用容器を提供する。  【解決手段】植物育成用容器１は、種３又は球根と、肥料と、土壌４とを内在すると共に、生分解性であって、且つ、透水性で形成された容器２と、この容器２の底部には、穴がなく、種３又は球根の上は、土壌４により覆われているものであり、容器２の上端開口部を覆ってシールする蓋５と、最上位の土壌４の移動を阻止するために、蓋５と最上位の土壌４との間の空間の略全体に亘って設けられたスペーサー６とを備えているものである。【選択図】図１
0003146756.tif 000002
【実用新案登録請求の範囲】
【請求項１】
種又は球根と、肥料と、土壌とを内在すると共に、生分解性であって、且つ、透水性で形成された容器と、
この容器の底部には、穴がなく、前記種又は球根の上は、前記土壌により覆われているものであり、
前記容器の上端開口部を覆ってシールする蓋と、
最上位の前記土壌の移動を阻止するために、前記蓋と最上位の前記土壌との間の空間の略全体に亘って設けられたスペーサーとを
備えていることを特徴とする植物育成用容器。
【請求項２】
種又は球根と、肥料と、土壌とを内在すると共に、生分解性であって、且つ、透水性で形成された容器と、
この容器の底部には、穴がなく、前記種又は球根の上は、前記土壌により覆われているものであり、
前記容器の上方に開口する開口部を覆ってシールすると共に、最上位の前記土壌の表面の略全体に亘って当接する突出部を備えた蓋とを
備えていることを特徴とする植物育成用容器。
【請求項３】
底部に穴を有し、種又は球根と、肥料と、土壌とを内在すると共に、生分解性で形成された容器と、
前記種又は球根の上は、前記土壌により覆われているものであり、
前記容器の底部に設けられた穴を覆う蓋体と、
前記容器の上端開口部を覆ってシールする蓋と、
最上位の前記土壌の移動を阻止するために、前記蓋と最上位の前記土壌との間の空間の略全体に亘って設けられたスペーサーとを
備えていることを特徴とする植物育成用容器。
【請求項４】
底部に穴を有し、種又は球根と、肥料と、土壌とを内在すると共に、生分解性で形成された容器と、
前記種又は球根の上は、前記土壌により覆われているものであり、
前記容器の底部に設けられた穴を覆う蓋体と、
前記容器の上方に開口する開口部を覆ってシールすると共に、最上位の前記土壌の表面の略全体に亘って当接する突出部を備えた蓋とを
備えていることを特徴とする植物育成用容器。
【考案の詳細な説明】
【技術分野】
【０００１】
本考案は、植物育成用容器に係り、特に、土壌中の種又は球根の位置を保持することができる植物育成用容器に関する。
【背景技術】
【０００２】
従来、生分解性で形成された容器に種、肥料、土壌等を内在したものがある（例えば、特許文献１参照）。
この容器は、移送時等にあって、容器内から土壌等が流出するのを防ぐために、上面開口部に蓋を設けている。
【特許文献１】特開平１０−１２７１８１号公報
【考案の開示】
【考案が解決しようとする課題】
【０００３】
ところが、容器の上面開口部と蓋との間に空間があるため、移送時の振動、容器の転倒等により、容器内の土壌が移動し、容器の包装前に設定した土壌中の種の位置までも移動してしまい、その結果、例えば、垂直方向の位置の変動により種の最適な深さの位置が変わったり、また、平面的な位置の変動により生育した植物の最適な位置が変更してしまうという問題点が生じた。
本考案は、上述した問題点を除去するようにした植物育成用容器を提供することを目的としている。
【課題を解決するための手段】
【０００４】
前記した目的を達成するための本考案の植物育成用容器は、種又は球根と、肥料と、土壌とを内在すると共に、生分解性であって、且つ、透水性で形成された容器と、この容器の底部には、穴がなく、前記種又は球根の上は、前記土壌により覆われているものであり、前記容器の上端開口部を覆ってシールする蓋と、最上位の前記土壌の移動を阻止するために、前記蓋と最上位の前記土壌との間の空間の略全体に亘って設けられたスペーサーとを備えているものである。
【０００５】
また、請求項２記載の植物育成用容器は、種又は球根と、肥料と、土壌とを内在すると共に、生分解性であって、且つ、透水性で形成された容器と、この容器の底部には、穴がなく、前記種又は球根の上は、前記土壌により覆われているものであり、前記容器の上方に開口する開口部を覆ってシールすると共に、最上位の前記土壌の表面の略全体に亘って当接する突出部を備えた蓋とを備えているものである。
【０００６】
また、請求項３記載の植物育成用容器は、底部に穴を有し、種又は球根と、肥料と、土壌とを内在すると共に、生分解性で形成された容器と、前記種又は球根の上は、前記土壌により覆われているものであり、前記容器の底部に設けられた穴を覆う蓋体と、前記容器の上端開口部を覆ってシールする蓋と、最上位の前記土壌の移動を阻止するために、前記蓋と最上位の前記土壌との間の空間の略全体に亘って設けられたスペーサーとを備えているものである。
【０００７】
また、請求項４記載の植物育成用容器は、底部に穴を有し、種又は球根と、肥料と、土壌とを内在すると共に、生分解性で形成された容器と、前記種又は球根の上は、前記土壌により覆われているものであり、前記容器の底部に設けられた穴を覆う蓋体と、前記容器の上方に開口する開口部を覆ってシールすると共に、最上位の前記土壌の表面の略全体に亘って当接する突出部を備えた蓋とを備えているものである。
【考案の効果】
【０００８】
請求項１記載の植物育成用容器によれば、容器は透水性で形成され、該容器の底部に穴を設けていないため、容器の上端開口部を蓋により覆うようにして、植物育成用容器の移送中、植物育成用容器内から土壌等が流出するのを防ぎ、
しかも、蓋と最上位の土壌との間の空間の略全体に亘って設けられたスペーサーにより、最上位の土壌の移動が阻止されるため、土壌中の種又は球根の移動をも防いで、土壌中の種又は球根の位置が保持され、土壌中の種又は球根の位置を変えなくても、容器の上端開口部を覆っている蓋をとって、そのまま、地植え、プランター等の他の容器へ移動することができ、手間がかからず作業性を向上させることができる。
【０００９】
また、請求項２記載の植物育成用容器によれば、容器は透水性で形成され、該容器の底部に穴を設けていないため、容器の上方に開口する開口部を蓋により覆うようにして、植物育成用容器の移送中、植物育成用容器内から土壌等が流出するのを防ぎ、
しかも、最上位の土壌の表面の略全体に亘って当接する蓋の突出部により、最上位の土壌の移動が阻止されるため、土壌中の種又は球根の移動をも防いで、土壌中の種又は球根の位置が保持され、土壌中の種又は球根の位置を変えなくても、容器の上方に開口する開口部を覆っている蓋をとって、そのまま、地植え、プランター等の他の容器へ移動することができ、手間がかからず作業性を向上させることができる。
【００１０】
また、請求項３記載の植物育成用容器によれば、容器の上方に開口する開口部は蓋で、容器の底部に設けられた穴は蓋体で、それぞれ覆うようにしているため、植物育成用容器の移送中、植物育成用容器内から土壌等が流出するのを防ぎ、
しかも、蓋と最上位の土壌との間の空間の略全体に亘って設けられたスペーサーにより、最上位の土壌の移動が阻止されるため、土壌中の種又は球根の位置が保持され、土壌中の種又は球根の移動をも防ぎ、土壌中の種又は球根の位置を変えなくても、容器の上端開口部を覆う蓋と容器の底部に設けられた穴を覆う蓋体とをそれぞれとって、そのまま、地植え、プランター等の他の容器へ移動することができ、手間がかからず作業性を向上させることができる。
【００１１】
また、請求項４記載の植物育成用容器によれば、容器の上方に開口する開口部は蓋で、容器の底部に設けられた穴は蓋体で、それぞれ覆うようにしているため、植物育成用容器の移送中、植物育成用容器内から土壌等が流出するのを防ぎ、
しかも、最上位の土壌の表面の略全体に亘って当接する蓋の突出部により、最上位の土壌の移動が阻止されるため、土壌中の種又は球根の位置が保持され、土壌中の種又は球根の移動をも防ぎ、土壌中の種又は球根の位置を変えなくても、容器の上方に開口する開口部を覆う蓋と容器の底部に設けられた穴を覆う蓋体とをそれぞれとって、そのまま、地植え、プランター等の他の容器へ移動することができ、手間がかからず作業性を向上させることができる。
【考案を実施するための最良の形態】
【００１２】
本考案の一実施例の植物育成用容器を図面を参照して説明する。
図１及び図２において、１は植物育成用容器で、植物育成用容器１は、生分解性であって、且つ、透水性で形成された容器２と、この容器２に内在する種３（又は球根）と、肥料（図示せず）と、土壌４等を有している。
容器２が透水性で形成されているため、容器２の底部には、穴を必要としない。そして、種３（又は球根）の上には、土壌４により覆われている。例えば、種３の上に約１ｃｍ程度の土壌４がかけられている。
なお、上述した容器２は、例えば、油やしパルプ１００％を原料として成形したもので、形状は、例えば、紙コップに類似したカップ型に成型されている。
【００１３】
また、５は、容器２の上端開口部２ａを覆ってシールされる蓋で、シールは、例えば、超音波によるものであり、蓋５は、例えば、紙製である。蓋５と最上位の土壌４との間の空間の略全体に亘ってスペーサー６が設けられている。
このスペーサー６は、例えば、やし繊維で成形したもの、発泡スチロール、固めた紙等を挙げることができる。
【００１４】
従って、上述した植物育成用容器１によれば、容器２は透水性で形成され、容器２  の底部に穴を設けていないため、容器２の上端開口部２ａを蓋５により覆うようにして、植物育成用容器１の移送中、植物育成用容器１内から土壌４等が流出するのを防ぐことができる。
また、蓋５と最上位の土壌４との間の空間の略全体に亘って設けられたスペーサー６により、最上位の土壌４の移動が阻止されるため、土壌４中の種３（又は球根）の移動をも防いでいるため、土壌４中の種３（又は球根）の位置が保持され、土壌４中の種３（又は球根）の位置を変えなくても、容器２の上端開口部２ａを覆っている蓋５をとって、そのまま、図３及び図４に示すように、地植えをすることができ、また、図５及び図６に示すように、プランター等の他の容器２’へ移動することができ、手間がかからず作業性を向上させることができる。
【００１５】
なお、上述した実施例の容器２を、紙コップに類似したカップ型に成型したが、本願考案にあっては、これに限らず、例えば、図７に示すようような皿状のものにも同様に適用できるものである。図７に、上述した実施例（図１〜図６）と同一部分に同一符号を付して、その説明を省略する。
【００１６】
また、上述した実施例においては、底部には穴がない容器２としたが、本願考案にあっては、これに限らず、例えば、図８に示すように、生分解性で形成された容器２の底部に穴２ｂを設けたものにも適用することができる。
かかる場合、容器２の底部の穴２ｂは蓋体７で、容器２の上端開口部は蓋５により、それぞれ覆うようにし、植物育成用容器１の移送中、植物育成用容器１内から土壌等が流出するのを防ぐようにすることができる。
また、本実施例（図８）の容器２は、上述の実施例と同様、生分解性であって、且つ、透水性で形成されていても良いが、生分解性で形成される必要はあるが、必ずしも、透水性で形成されている必要はない。
なお、本実施例（図８）の容器２内には、図示しないが、上述した実施例（図１〜図６）と同様に、容器２内に、種又は球根と、肥料と、土壌とが内在され、蓋５と最上位の土壌との間の空間の略全体に亘ってスペーサーが設けられている。  
【００１７】
また、上述した実施例（図１〜図８）においては、スペーサー６を設けるようにしたが、本願考案にあっては、これに限らず、スペーサー６を省略することもできる。
かかる場合、例えば、図９に示すように、蓋５は、容器２の上方に開口する開口部を覆ってシールすると共に、最上位の土壌４の表面の略全体に亘って当接する突出部５ａを備えて、上述したスペーサー６を省略することができる。
【図面の簡単な説明】
【００１８】
【図１】図１は、本考案の一実施例の植物育成用容器の概略的断面図である。
【図２】図２は、図１の植物育成用容器を分解して示す概略的分解斜視図である。
【図３】図３は、図１の植物育成用容器の一使用形態を示すもので、地植えする前の状態の概略的断面図である。
【図４】図４は、図３の植物育成用容器を地植えした状態の概略的断面図である。
【図５】図５は、図３及び図４と異なる他の使用形態を示すもので、他の容器への移動前の状態の概略的断面図である。
【図６】図６は、図５の植物育成用容器を他の容器へ移動した状態の概略的断面図である。
【図７】図７は、図１の植物育成用容器と異なる他の実施例の植物育成用容器の概略的分解斜視図である。
【図８】図８は、図７の植物育成用容器と異なる他の実施例の植物育成用容器の概略的斜視図である。
【図９】図９は、図８の植物育成用容器と異なる他の実施例の植物育成用容器の概略的断面図である。
【符号の説明】
【００１９】
１     …植物育成用容器
２     …容器
２ａ   …上端開口部
３     …種
４     …土壌
５     …蓋
６     …スペーサー
【図１】
0003146756.tif 000003
【図２】
0003146756.tif 000004
【図３】
0003146756.tif 000005
【図４】
0003146756.tif 000006
【図５】
0003146756.tif 000007
【図６】
0003146756.tif 000008
【図７】
0003146756.tif 000009
【図８】
0003146756.tif 000010
【図９】
0003146756.tif 000011